(57)【要約】【課題】  電子先幕とメカ後幕とを併用したシャッタ機構において、レンズの状況、撮像素子、メカ後幕の状況に起因したシャッタ走査方向のボケ像の欠けを防ぐこと。【解決手段】  複数のレンズユニットを交換して装着が可能な撮像装置であって、装着されたレンズユニットから、焦点距離と射出瞳位置を取得する取得手段（１２１、１１３）と、撮像素子（１０４）と、シャッタ（１０５）と、シャッタの幕の走行方向に撮像素子の画素を順次リセットする垂直駆動変調回路（１０８）と、絞り値を求める演算手段（１１３）と、焦点距離、射出瞳位置、及び絞り値に応じて露光時間を決定する決定手段（１１３）と、露出オーバーとならないようにＩＳＯ感度を設定する設定手段（１１３）とを有する。【選択図】  図１
2010041510.tif 000002
【特許請求の範囲】
【請求項１】
複数のレンズユニットを交換して装着が可能な撮像装置であって、
装着されたレンズユニットから、少なくとも該レンズユニットの焦点距離及び射出瞳距離を含むレンズ情報を取得する取得手段と、
入射する光を光量に応じた電荷に変換して画像信号を出力する複数の画素から成る撮像素子と、
前記撮像素子を遮光するための幕を有するシャッタ手段と、
前記幕による前記撮像素子の遮光の開始に先だって、前記幕の走行方向に前記撮像素子の画素を順次リセットするリセット手段と、
絞り値を求める演算手段と、
前記レンズユニットのフォーカスレンズのフォーカス位置を設定するフォーカス位置決定手段と、
前記フォーカス位置決定手段により決定されたフォーカス位置と過焦点距離との差が所定値以上の場合、前記焦点距離、前記射出瞳距離、前記フォーカス位置、および前記演算手段により求めた絞り値に基づいて前記撮像素子の露光時間を決定するとともに、前記フォーカス位置と過焦点距離との差が所定値より小さい場合、前記絞り値および被写体輝度に基づいて前記撮像素子の露光時間を決定する露光時間決定手段と、
前記フォーカス位置と過焦点距離との差が所定値以上の場合、前記絞り値および前記露光時間決定手段により決定された露光時間に基づいて、露出過度とならないようにＩＳＯ感度を設定するＩＳＯ感度設定手段と
を有することを特徴とする撮像装置。
【請求項２】
前記露光時間決定手段により決定された露光時間は、前記レンズユニットのフォーカスレンズが前記フォーカス位置にある場合に、至近にある被写体と無限遠にある被写体のボケ像が前記幕のよって欠けない露光時間であることを特徴とする請求項１に記載の撮像装置。
【請求項３】
前記射出瞳距離、および前記露光時間に基づいて、前記リセット手段によるリセット走査を制御する制御手段を有することを特徴とする請求項１または２に記載の撮像装置。
【請求項４】
前記制御手段は、前記露光時間が所定時間以下の場合、前記撮像素子の露光時間が、前記撮像素子の露光開始位置よりも露光終了位置において長くなるように前記リセット走査を制御することを特徴とする請求項３に記載の撮像装置。
【請求項５】
前記リセット走査により生じる前記撮像素子の露光開始位置と露光終了位置との露光時間の差に伴う露光ムラを補正するように、前記撮像素子から出力された画像信号を補正する補正手段とを有することを特徴とする請求項４に記載の撮像装置。
【請求項６】
前記リセット手段によるリセット走査の走査パターンを複数保持する保持手段を有し、
前記制御手段は、前記射出瞳距離に基づいて、前記保持手段により保持された複数の走査パターンから適用する走査パターンを選択し、前記選択された走査パターンにしたがって前記リセット走査を制御することを特徴とする請求項３ないし５のいずれか１項に記載の撮像装置。
【請求項７】
複数のレンズユニットを交換して装着が可能であって、入射する光を光量に応じた電荷に変換して画像信号を出力する複数の画素から成る撮像素子と、前記撮像素子を遮光するための幕を有するシャッタ手段とを有する撮像装置の制御方法であって、
装着されたレンズユニットから、少なくとも該レンズユニットの焦点距離及び射出瞳距離を含むレンズ情報を取得する取得工程と、
前記幕による前記撮像素子の遮光の開始に先だって、前記幕の走行方向に前記撮像素子の画素を順次リセットするリセット工程と、
絞り値を求める演算工程と、
前記レンズユニットのフォーカスレンズのフォーカス位置を決定するフォーカス位置決定工程と、
前記フォーカス位置決定工程により決定されたフォーカス位置と過焦点距離との差が所定値以上の場合、前記焦点距離、前記射出瞳距離、前記フォーカス位置、および前記演算工程で求めた絞り値に基づいて前記撮像素子の露光時間を決定するとともに、前記フォーカス位置と過焦点距離との差が所定値より小さい場合、前記絞り値および被写体輝度に基づいて前記撮像素子の露光時間を決定する露光時間決定工程と、
前記フォーカス位置と過焦点距離との差が所定値以上の場合、前記絞り値および前記露光時間決定工程で決定された露光時間とに基づいて、露出過度とならないようにＩＳＯ感度を設定するＩＳＯ感度設定工程と
を有することを特徴とする制御方法。
【発明の詳細な説明】
【技術分野】
【０００１】
本発明は、撮像装置及びその制御方法に関し、更に詳しくは、電子シャッタ機能とメカニカルシャッタ機能とを併用して撮像動作を行う撮像装置及びその制御方法に関する。
【背景技術】
【０００２】
一眼レフタイプのデジタルカメラには、メカニカルシャッタであるフォーカルプレンシャッタ（以下、「メカニカルシャッタ」と称す。）と電子シャッタを併用して撮像動作を行うものがある。この種のシャッタ機構では、メカニカルシャッタにより後幕が構成され、後幕の走行に先行して、撮像素子の画素の電荷蓄積開始走査を行う電子シャッタを駆動することにより撮影が行われる。
【０００３】
電子シャッタを用いて撮像動作を行う場合、例えば、ＣＭＯＳセンサを用いた撮像素子では、画素毎、或いは、複数画素からなる領域毎（例えば各ライン毎）に、先ず、画素の蓄積電荷量をゼロにするリセット走査を行う。その後、リセット走査を行った画素毎或いは領域毎に、それぞれ所定の時間を経過してから信号を読み出す走査を行うことで、電子シャッタによる撮像動作を実現できる。
【０００４】
上述した電子シャッタとメカニカルシャッタを併用して、撮像素子の露光を制御する場合、先ず、撮像素子の電荷蓄積開始走査として、メカニカルシャッタの走行方向に、撮像素子の複数画素から成る領域毎（例えば各ライン毎）に順次リセット走査する。そして、所定時間経過後に、メカニカルシャッタの後幕によって撮像素子を順次遮光した後、各画素に蓄積された電荷を順次読み出す読み出し走査を行う。従って、このリセット走査の走査パターンは、メカニカルシャッタの後幕の走行特性に合わせたものとなっている（例えば、特許文献１参照）。
【０００５】
【特許文献１】特開平１１−４１５２３号公報（段落番号００４４〜００５０、図１〜図３等）
【発明の開示】
【発明が解決しようとする課題】
【０００６】
しかしながら、一眼レフタイプのデジタルカメラは一般に撮影レンズの交換が可能であり、装着された撮影レンズにより、焦点距離や射出瞳距離（像面からレンズの射出瞳位置までの距離）は異なる。このため、上述したように電子シャッタとメカニカルシャッタを併用して撮像を行う撮像装置を構成した場合、以下のような問題がある。電子シャッタは撮像素子面で機能するが、メカニカルシャッタは撮像素子面から光軸方向に少し離れた位置に配置される。従って、撮影レンズの焦点距離、射出瞳位置等により、メカニカルシャッタによる撮像面上での遮光位置は変化する。このため、特にリセット走査されてからメカニカルシャッタにより遮光されるまでの露光時間が短い場合に、装着された撮影レンズの焦点距離、射出瞳位置等に応じて、シャッタの走行方向に露光ムラが生じてしまう。ここで、特にリセット走査の実行からメカニカルシャッタによる遮光までの時間が短い場合（例えば1/4000秒等の短時間露光秒時）について、図１７Ａ〜図１７Ｃにより説明する。
【０００７】
図１７Ａは撮像画面の露光開始位置での撮影光束の状況を示す図、図１７Ｂは撮像画面の露光中央位置での撮影光束の状況を示す図、図１７Ｃは撮像画面の露光終了位置での撮影光束の状況を示す図である。各図において、（ａ）の上側に示す図は焦点より遠い側に撮像素子１０４の撮像面が位置する所謂「前ピン」状態を示し、下側に示す図はそのときの撮影画像のボケの見え方を示している。一方、（ｂ）の上側に示す図は焦点より近い側に撮像素子１０４の撮像面が位置する所謂「後ピン」状態を示し、下側に示す図はそのときの撮影画像のボケの見え方を示す。
【０００８】
図１７Ａ〜図１７Ｃにおいて、５１は撮影レンズ１１４の光束の上側、５２は撮影レンズ１１４の光束の下側、５３は焦点、２は撮像素子１０４の撮像面である。３はメカニカルシャッタのメカ後幕、５はメカ後幕の先端（スリット形成部）、４は撮像素子１０４のリセットラインで電子先幕の先端に相当する。また、７０は撮像素子１０４の撮像面を正面から見た様子を表す。
【０００９】
ここで、撮影レンズ１１４の絞り開口が円形であるものとする。また、露光開始時には、電子先幕のリセットライン４とメカ後幕の先端５で形成されるスリット開口（ここでは１／４０００秒の短秒時）はメカ後幕の先端５によってけられることがない撮影光学系の状態とする。また、図１７Ａに示す前ピンのボケ像７１及び後ピンのボケ像７３は、メカ後幕の先端５によってけられることがなく、円形をしているものとする。
【００１０】
ところが、図１７Ｂに示すように、撮像素子１０４の中央領域の露光時には、電子先幕のリセットライン４とメカ後幕の先端５で形成されるスリット開口（ここでは１／４０００秒の短秒時）はメカ後幕の先端５によってけられる状態となる。これにより、前ピンのボケ像７５はメカ後幕の先端５によって光束の下側５２がけられるために、円形になるべきボケ像の下側７６がカットされる。同様に、後ピンのボケ像７８では、メカ後幕の先端５によって光束の下側５２がけられることにより、円形になるべきボケ像の上側７９がやや大きくカットされる。
【００１１】
また、図１７Ｃに示すように、露光終了間際では、電子先幕のリセットライン４とメカ後幕の先端５で形成されるスリット開口（ここでは１／４０００秒の短秒時）はメカ後幕の先端５によってけられる撮影光学系の状態となる。そのため、前ピンのボケ像８１はメカ後幕の先端５によって光束の下側５２がけられるために、円形になるべきボケ像８１の下側８２がカットされる。同様に、後ピンのボケ像８４では、メカ後幕の先端５によって光束の下側５２がけられることにより、円形になるべきボケ像８４の上側８５がやや大きくカットされる。
【００１２】
以上のように、
【００１３】
・ピントのずれたボケ像が円でなく、一部欠けてしまう。
・ピントの合った被写体より遠景側のボケ像と近景側のボケ像で欠ける方向が異なる。
・画面の位置で欠け具合が異なる。
といった現象が起こる。
例えばカメラが正位置で、シャッタの走行方向が下から上の場合、遠景側のボケ像は下が欠け、近景側のボケ像は上が欠け、画面の下側でボケ像の欠けが顕著（近景のボケ像の欠けがより顕著）であるという課題が生じていた。
【００１４】
いろいろなシーンを撮影して確認すると、特に木漏れ日のボケ像のような明暗のはっきりしたものでは、一部欠けた円形がはっきりと判り、撮影者の意図したような画像が得られなくなってしまう。
【００１５】
また、撮影レンズの絞込み及びピント位置、マクロレンズのフォーカス等によっても、射出瞳距離が変化し、メカニカルシャッタによる撮像面上の遮光位置が変化するものがある。さらに、防振レンズが装着された場合、そのシフト量に応じて、メカニカルシャッタによる撮像面の遮光位置が変化する。従って、これらの要因によっても、上述したようなシャッタ走査方向のボケ像の欠けが発生することになる。
【００１６】
本発明は上記問題点を鑑みてなされたものであり、メカニカルシャッタと電子シャッタを併用したシャッタ機構において、レンズの状況、撮像素子とメカニカルシャッタの状況に起因したシャッタ走査方向のボケ像の欠けを防ぐことを目的とする。
【課題を解決するための手段】
【００１７】
上記目的を達成するために、本発明の撮像装置は、複数のレンズユニットを交換して装着が可能な撮像装置であって、装着されたレンズユニットから、少なくとも該レンズユニットの焦点距離及び射出瞳距離を含むレンズ情報を取得する取得手段と、入射する光を光量に応じた電荷に変換して画像信号を出力する複数の画素から成る撮像素子と、前記撮像素子を遮光するための幕を有するシャッタ手段と、前記幕による前記撮像素子の遮光の開始に先だって、前記幕の走行方向に前記撮像素子の画素を順次リセットするリセット手段と、絞り値を求める演算手段と、前記レンズユニットのフォーカスレンズのフォーカス位置を設定するフォーカス位置決定手段と、前記フォーカス位置決定手段により決定されたフォーカス位置と過焦点距離との差が所定値以上の場合、前記焦点距離、前記射出瞳距離、前記フォーカス位置、および前記演算手段により求めた絞り値に基づいて前記撮像素子の露光時間を決定するとともに、前記フォーカス位置と過焦点距離との差が所定値より小さい場合、前記絞り値および被写体輝度に基づいて前記撮像素子の露光時間を決定する露光時間決定手段と、前記フォーカス位置と過焦点距離との差が所定値以上の場合、前記絞り値および前記露光時間決定手段により決定された露光時間に基づいて、露出過度とならないようにＩＳＯ感度を設定するＩＳＯ感度設定手段とを有する。
【００１８】
また、本発明の制御方法は、複数のレンズユニットを交換して装着が可能であって、入射する光を光量に応じた電荷に変換して画像信号を出力する複数の画素から成る撮像素子と、前記撮像素子を遮光するための幕を有するシャッタ手段とを有する撮像装置の制御方法であって、装着されたレンズユニットから、少なくとも該レンズユニットの焦点距離及び射出瞳距離を含むレンズ情報を取得する取得工程と、前記幕による前記撮像素子の遮光の開始に先だって、前記幕の走行方向に前記撮像素子の画素を順次リセットするリセット工程と、絞り値を求める演算工程と、前記レンズユニットのフォーカスレンズのフォーカス位置を決定するフォーカス位置決定工程と、前記フォーカス位置決定工程により決定されたフォーカス位置と過焦点距離との差が所定値以上の場合、前記焦点距離、前記射出瞳距離、前記フォーカス位置、および前記演算工程で求めた絞り値に基づいて前記撮像素子の露光時間を決定するとともに、前記フォーカス位置と過焦点距離との差が所定値より小さい場合、前記絞り値および被写体輝度に基づいて前記撮像素子の露光時間を決定する露光時間決定工程と、前記フォーカス位置と過焦点距離との差が所定値以上の場合、前記絞り値および前記露光時間決定工程で決定された露光時間とに基づいて、露出過度とならないようにＩＳＯ感度を設定するＩＳＯ感度設定工程とを有する。
【発明の効果】
【００１９】
本発明によれば、メカニカルシャッタと電子シャッタを併用したシャッタ機構において、撮影レンズの状況に起因したシャッタ走査方向のボケ像の欠けを防ぐことができる。
【発明を実施するための最良の形態】
【００２０】
以下、添付図面を参照して本発明を実施するための最良の形態を詳細に説明する。
【００２１】
＜第１の実施形態＞
図１は本発明の第１の実施形態にかかる撮像システムの構成を示すブロック図である。本第１の実施形態にかかる撮像システムは、撮像装置であるカメラ本体１００と、カメラ本体１００に装着される、撮影光学系としての交換可能なレンズユニット１０１とを有している。
【００２２】
先ず、レンズユニット１０１内の構成について説明する。
【００２３】
１１４は、光軸方向に移動可能な撮影レンズである。なお、図１では、撮影レンズ１１４を１つのレンズとして表しているが、実際にはフォーカスレンズやズームレンズ等、複数のレンズから構成されている。レンズＣＰＵ１１５は、レンズ駆動回路１１６を介して撮影レンズ１１４の駆動を制御すると共に、絞り駆動回路１１７を介して絞り１１７ａを駆動し、撮影動作時の被写体輝度に応じた絞りの制御を行う。また、ズーム駆動機構１１８を操作（本実施の形態では手動操作）することによりズームレンズの位置を動かすことができる。動かされたズームレンズの位置（焦点距離）はズーム位置検出回路１１９により検出され、レンズＣＰＵ１１５に送られる。レンズＣＰＵ１１５は、レンズユニット１０１側の通信接点１２０及びカメラ本体１００側の通信接点１２１を介して、後述するカメラ本体１００内のカメラＣＰＵ１１３と通信することができる。レンズＣＰＵ１１５は、この通信接点１２０及び１２１を介して、レンズユニット１０１の種類や、焦点距離、射出瞳距離、焦点位置（フォーカス位置）等に関するレンズ情報をカメラＣＰＵ１１３に通知する。
【００２４】
次に、カメラ本体１００の構成について説明する。
【００２５】
撮像装置が非撮影状態（図１に示す状態）にある場合、レンズユニット１０１の撮影レンズ１１４及び絞り１１８を通過した被写体光束のうちの一部の光束は、撮影光路内に位置するミラー１０２で反射されてファインダ光学系１０３に導かれる。これにより、撮影者は、ファインダ光学系１０３を介して被写体像を観察することができる。
【００２６】
後述する不図示のレリーズ釦が押されて非撮影状態から撮影状態に移行すると、ミラー１０２は撮影光路から退避する。これにより、レンズユニット１０１からの被写体光束は、ＣＭＯＳセンサやＣＣＤなどにより構成される撮像素子１０４へ向かう。撮像素子１０４の各画素は、露光されている間、レンズユニット１０１により結像された被写体光学像を光量に応じて光電変換し、得られた電荷を蓄積する。撮像素子１０４には、パルス発生回路１０７から走査クロック（水平駆動パルス）や所定の制御パルスが供給される。パルス発生回路１０７で発生した走査クロックのうち、垂直走査用のクロックは垂直駆動変調回路１０８によって所定のクロック周波数に変調されて、撮像素子１０４に入力される。この垂直駆動変調回路１０８によって電子先幕としてのリセット走査の走査パターンが決定される。また、パルス発生回路１０７は、後述する信号処理回路１０９にもクロック信号を出力する。
【００２７】
撮像素子１０４に対して物体側（レンズ側）には、メカニカルシャッタであるフォーカルプレンシャッタ（以下、「メカニカルシャッタ」と呼ぶ。）１０５が配置されている。メカニカルシャッタ１０５は、複数の遮光羽根で構成された後幕（以下、「メカ後幕」と呼ぶ。）を有し、撮像素子１０４を遮光する。カメラＣＰＵ１１３は、シャッタ駆動回路１０６を介してメカニカルシャッタ１０５の駆動を制御する。
【００２８】
信号処理回路１０９は、撮像素子１０４から読み出された信号に対して二重相関サンプリング処理（ＣＤＳ）やゲイン（ＡＧ）処理、及び所定の処理（色処理やガンマ補正等）を施すことにより画像データを生成する。生成された画像データは、画像表示回路１１０を介して表示装置１５１に出力されて撮影画像として表示されたり、画像記録回路１１１に記録されたりする。スイッチユニット１１２は、主電源のＯＮ／ＯＦＦを制御するスイッチや、撮影条件等を設定するために操作されるスイッチや、撮影準備動作および撮影動作を開始させるために操作されるスイッチ（レリーズ釦）を含む。レリーズ釦の半押し操作（スイッチＳＷ１のＯＮ）で撮影準備動作（測光動作や焦点調節動作等）が開始される。更に、全押し操作（スイッチＳＷ２のＯＮ）で撮影動作（撮像素子１０４の露光及び電荷信号の読み出し、及び電荷信号を処理して得られた画像データの記録媒体への記録）が開始される。カメラＣＰＵ１１３は、スイッチユニット１１２の操作に応じた動作を行う。走査パターン保持部１５０は、後述するような電子先幕の走査パターン（リセットラインの移動タイミング）を複数種類保持する。
【００２９】
上記構成を有する本実施の形態における撮像装置は、通常複数の遮光羽根で構成される先幕に代えて、撮像素子１０４の画素を順次リセット走査する電子シャッタによる電子先幕を採用する。そして、電子先幕とメカ後幕を用いて撮像素子１０４の露光制御を行う構成となっている。
【００３０】
図２は、撮像素子１０４およびメカ後幕をレンズ側から光軸方向に沿って観察した様子を示す正面図であり、レリーズ釦の押下により撮影が開始された後の、電子先幕のリセット走査およびメカ後幕の走行が途中にあるときの状態を示している。矢印１は、電子先幕のリセット走査の走査方向（電子先幕の走行方向）と、メカ後幕の走行方向を示す。なお、撮影レンズ１１４により撮像素子１０４の撮像面に結像した被写体像は上下が反転する。そのため、図２のように撮像面の下側から上側に向かってリセット走査を行うことで、画像上部から画像下部へリセット走査及びメカ後幕の走行が行われることになる。
【００３１】
図２において、２は撮像素子１０４の撮像面、３はメカニカルシャッタ１０５のメカ後幕であり、メカ後幕３が撮像面２の一部の領域を遮光している状態が示されている。４は、撮像素子１０４におけるリセット走査を行っているライン（リセットライン）を示す。リセット走査はリセットライン４上の画素の蓄積電荷量をゼロにするものであり、リセットライン４は電子先幕の先端に相当する。
【００３２】
リセットライン４とメカ後幕３の先端５との間のスリットによって形成される領域６は、撮像素子１０４において露光による電荷蓄積が行われている領域（電荷蓄積領域）である。電荷蓄積領域６は電子先幕とメカ後幕３の走行に従って、矢印１の方向へ移動していくことになる。リセットライン４が通過してから、つまり画素がリセットされてから、メカ後幕３によって遮光状態となるまでの時間が、画素の露光による電荷蓄積時間となる。このように、リセットライン４が矢印１の方向へ走行して各ラインの電荷蓄積が開始されるので、電荷蓄積の開始タイミングは撮像素子１０４のライン毎に異なる。図２に示す例では、撮像面２において最も下に位置するラインで電荷蓄積動作が最も早いタイミングで行われ、最も上に位置するラインで電荷蓄積動作が最も遅いタイミングで行われる。
【００３３】
撮像面２の下部から上部へ向かうリセットライン４の移動は、垂直駆動変調回路１０８により図５の（ａ）及び（ｂ）を参照して後述するように制御される。このリセットライン４の移動パターンを「走査パターン」と称する。この走査パターンは、撮像素子１０４のライン毎にリセット走査が行われるタイミングを示したものということができる。走査パターン保持部１５０には、例えば、焦点距離や射出瞳距離などに応じて異なる走査パターンが複数保持されている。カメラＣＰＵ１１３は、装着されたレンズの焦点距離や射出瞳距離などに応じてこれらのうちの一つを選択し、選択した走査パターンに従ってリセットライン４が移動するように垂直駆動変調回路１０８を制御する。詳細は後述する。
【００３４】
図３及び図４は、撮影レンズ１１４、メカニカルシャッタ１０５及び撮像素子１０４のリセットラインの関係を示す光路図である。図３及び図４において、撮影レンズ１１４ａは焦点距離が長く、射出瞳距離が長い状態での撮影レンズ１１４を示し、レンズ１１４ｂは焦点距離が短く、射出瞳距離が短い状態での撮影レンズ１１４を示している。また、７はシャッタ地板、８はシャッタ羽根押さえである。また、１１４ａ'、１１４ｂ'はそれぞれ撮影レンズ１１４ａ、１１４ｂの射出瞳位置を示している。
【００３５】
図３は撮像素子１０４の露光を開始して間もない時の状態を示している。スリット幅Ａは、焦点距離が長く、射出瞳距離の長い撮影レンズ１１４ａの光束がメカ後幕３の先端５によって遮光される撮像素子１０４上のラインと、リセットライン４とによって形成される領域の幅を示している。また、スリット幅Ｂは、焦点距離が短く、射出瞳距離が短い撮影レンズ１１４ｂの光束がメカ後幕３の先端５によって遮光される撮像素子１０４上のラインと、リセットライン４とによって形成される領域の幅を示している。
【００３６】
図３に示すタイミングでは、スリット幅Ｂの方がスリット幅Ａよりも広い。つまり、撮影レンズ１１４ａ及び１１４ｂに対して、電子先幕及びメカ後幕３を同じ条件で駆動した場合、撮影レンズ１１４ｂを用いた場合の露光量は撮影レンズ１１４ａを用いた場合の露光量よりも大きくなる。従って、例えば、撮影レンズ１１４ａを用いた場合に適正露出となるスリット幅になるようにリセット走査のタイミングを制御すると、撮影レンズ１１４ｂを用いて撮影した場合には、露光開始間もないタイミングでは露出がオーバーになってしまうことになる。
【００３７】
一方、図４は撮影動作後半（露光終了間近）の状態を示している。スリット幅Ａ'は、撮影レンズ１１４ａの光束がメカ後幕３の先端５によって遮光される撮像素子１０４のラインとリセットライン４とによって形成される領域の幅を示している。また、スリット幅Ｂ'は、撮影レンズ１１４ｂの光束がメカ後幕３の先端５によって遮光される撮像素子１０４のラインとリセットライン４とによって形成される領域の幅を示している。
【００３８】
図４に示されるタイミングでは、図３に示した露光開始間もない時の状態とは逆に、スリット幅Ｂ'の方がスリット幅Ａ'よりも狭い。つまり、撮影レンズ１１４ａ及び１１４ｂに対して、電子先幕及びメカ後幕３を同じ条件で駆動した場合、撮影レンズ１１４ａを用いた場合の露光量は撮影レンズ１１４ｂを用いた場合の露光量より大きくなる。従って、リセットライン４とメカ後幕３により構成されるスリット幅が、露光開始間もない時と同じスリット幅であったとすると、露光終了間近では、撮影レンズ１１４ａを用いて撮影した場合に露出がオーバーになってしまう。
【００３９】
このように、リセットライン４とメカ後幕３により構成されるスリット幅が常に一定になるようにリセットラインの走査速度及びメカ後幕３の走行速度を調整すると、画像の上部と下部とで露光ムラ（所謂、上下方向の露光ムラ）が発生してしまうのである。
【００４０】
図５（ａ）、（ｂ）は、シャッタ制御における電子先幕のリセット走査の走査パターンとメカ後幕の走行パターンとの関係を示す図であり、横軸は時間、縦軸は撮像素子１０４上の下から上への距離（位置）を表している。図５（ａ）において、１２はメカ後幕３の走行曲線を表し、走行開始から徐々に速度が上がる状態を表している。１１は電子先幕のリセットライン４の走査曲線を表す。走査曲線１１と走行曲線１２の時間方向の距離が撮像素子１０４の各ラインの露光時間を表す。図５（ａ）では、撮像素子１０４の下から上に亘って、ほぼ同じ露光時間となっている。撮影レンズ１１４の焦点距離と射出瞳距離が十分長いとき（例えば５００ｍｍ以上のとき）は、メカ後幕３の走行曲線とほぼ同じ形状の走査曲線を用いてリセットライン４の走査を制御することで、適正な露光を得ることができる。
【００４１】
しかし、前述したように、撮影レンズの焦点距離が短く、射出瞳距離が短い場合には、射出瞳距離が長い撮影レンズを用いた場合に比べて、レンズを通過した光線の撮像素子１０４への入射角度が、光軸に対して大きな角度となる。そのため、図５（ａ）に示すような制御では、撮像素子１０４の撮像面下部（＝画像の中央より上部）において露出がオーバーとなり、撮像面上部（＝画像の中央より下部）において露出がアンダーとなる。そのため、撮像面下部で露光時間を短くし、撮像面上部で露光時間を長くする。このように調整するために、撮像素子１０４の画素がリセット走査されてから、撮像レンズを介して入射した光から画素が実際にメカ後幕３により遮光されるまでの時間が各画素間で等しくなるように、電子先幕の走査曲線を調整する。例えば、図５（ｂ）に示すように走査曲線１１を１１'に示す走査曲線に補正することが必要となる。
【００４２】
更に、シャッタスピードが速く、電子先幕のリセットライン４とメカ後幕の先端５で形成されるスリット開口が狭い場合には、図１７Ａ〜図１７Ｃを参照して上述したように、メカ後幕によるけられが生じることがある。そのため、けられが生じないようなスリット開口幅に補正する必要がある。つまり、焦点距離、射出瞳距離、絞り値に応じて、露光時間を補正する。
【００４３】
以上のような補正処理について、図６のフローチャートを参照して、撮像動作に沿って説明する。なお、図６に示す処理はカメラＣＰＵ１１３が主体となって実行される。また、本実施形態では、カメラＣＰＵ１１３がフォーカス位置決定手段および露光時間決定手段に対応している。
【００４４】
スイッチユニット１１２内のレリーズ釦の第１ストローク（所謂、半押し状態）が検出されると（スイッチＳＷ１のＯＮ）、処理はステップＳ１０１からステップＳ１０２へ進む。ステップＳ１０２において、カメラＣＰＵ１１３は通信接点１２１、１２０を介して、装着されたレンズユニット１０１の種類や射出瞳距離等に関するレンズ情報をレンズＣＰＵ１１５から取得するように制御する。装着されたレンズユニット１０１がズームレンズを含む場合は、ステップＳ１０３からステップＳ１０４へ進み、レンズＣＰＵ１１５より焦点距離（ズーム位置情報）を取得する。なお、レンズユニット１０１のレンズＣＰＵ１１５は、射出瞳距離や、ズーム位置検出回路１１９で検出されたズーム位置に基づいて生成した焦点距離等に関するレンズ情報をカメラＣＰＵ１１３の要求に応じて通知する。
【００４５】
次いで、ステップＳ１０５において、不図示の測光センサからの出力とＩＳＯ感度設定等の情報により、絞り値及び露光時間を演算する。ステップＳ１０８では、不図示の測距系によって被写体距離情報が取得され、撮影レンズ１１４のフォーカス位置を決定する。次にステップ１０９に進み、決定した撮影レンズのフォーカス位置と過焦点距離との差が所定値より小さく、決定した絞り値に応じたデフォルトのボケ像と決定したフォーカス位置でのボケ像の大きさの差が所定値より小さいかを判定する。
【００４６】
なお、デフォルトのボケ像とは、例えば、装着されたレンズユニット１０１のフォーカス位置が過焦点距離にある時の至近にある被写体と無限遠にある被写体のボケ像のことを指す。過焦点距離ｘは、
過焦点距離ｘ＝ｆ２／Ｆδ（ｆ：焦点距離、Ｆ：絞り値、δ：許容錯乱円径）
【００４７】
で表される。
また、ボケ像の大きさの差が所定値より小さいかを判定する際には、デフォルトのボケ像の大きさと、決定したフォーカス位置での至近にある被写体および無限遠にある被写体のボケ像の大きさとのそれぞれの差で判定する。
【００４８】
決定したフォーカス位置と過焦点距離との差が所定値以上の場合はステップＳ１１０に進み、決定したフォーカス位置での至近にある被写体と無限遠にある被写体のボケ像が欠けないような露光時間（シャッタ秒時Ｔｖ）を決定する。更に、ステップＳ１１０では、決定された絞り値とシャッタ秒時では露出オーバー（露出過度）となる場合にはＩＳＯ感度を小さくする。その後、ステップＳ１１２へ進む。
【００４９】
一方、ステップＳ１０９において、決定した撮影レンズ１１４のフォーカス位置と過焦点距離との差が所定値より小さければステップＳ１１１に進み、被写体輝度、絞り値、ＩＳＯ感度設定等に応じて露光時間（シャッタ秒時Ｔｖ）を決定する。そして、ステップＳ１１２に進む。
【００５０】
次のステップＳ１１２では、レンズユニット１０１の焦点距離、射出瞳距離、フォーカス位置、及び絞り値に基づき、決定した露光時間に応じた電子先幕の走査曲線パターンを決定する。ここで、カメラＣＰＵ１１３が、垂直駆動変調回路１０８の設定を、例えば、図５（ｂ）の走査曲線１１'のように変更するものとする。この走査曲線１１'は、焦点距離が短く、射出瞳距離が短いレンズの場合に適切なものである。走査曲線１１'は、メカ後幕の走行曲線１２とほぼ等しい動作を示す走査曲線１１に対して、電子先幕のリセット走査の開始タイミングを遅らせ、かつ、走査終了タイミングを早めたものである。そして、決定したシャッタ秒時に応じて、走査曲線１１'を横軸の時間方向へ変化させる。
【００５１】
ここで、ステップＳ１１２における処理を、図７及び図８を参照して更に詳細に説明する。
【００５２】
図７は本第１の実施形態における電子先幕（リセット走査）の走査パターン制御に関する機能構成を示すブロック図であり、図８はステップＳ１１２で行われる走査パターンの設定処理を表すフローチャートである。
【００５３】
カメラＣＰＵ１１３は、情報収集部１１３ａ、走査パターン設定部１１３ｂ、垂直駆動変調回路制御部１１３ｃとして機能する。情報収集部１１３ａは、射出瞳距離に関連する情報を収集し、これを走査パターン設定部１１３ｂに渡す（ステップＳ２０１）。即ち、情報収集部１１３ａは、ステップＳ１０２〜Ｓ１０４で取得された情報や、ステップＳ１０５〜Ｓ１１１で設定された情報のうち、射出瞳距離の判定に用いる情報を取得する。走査パターン設定部１１３ｂは情報収集部１１３ａが取得した情報に基づいて電子先幕の走査パターンを決定する（ステップＳ２０２〜Ｓ２０５）。
【００５４】
まず、ステップＳ２０２において、露光時間が所定時間よりも長い場合はステップＳ２０５へ進み、電子先幕の走査パターンとして、標準の走査パターンを適用すべき走査パターンとして決定する。本実施の形態では、標準の走査パターンとして、例えば、図５（ａ）の走査曲線１１のようにメカ後幕とカーブ形状がほぼ同じもの（撮影開始から終了まで撮像素子１０４の各ラインにおける露光時間がほぼ同じ）を採用する。
【００５５】
撮影レンズの焦点距離、射出瞳距離によって発生する露出ムラは、前述したように高速秒時でシャッタのスリット幅が狭いときに、特に大きく発生する。よって、本実施の形態では、露光時間が長く（例えば１／８秒以下）、露出ムラが発生しても十分に無視できるシャッタ秒時の範囲では、電子先幕のリセット走査の走査パターンの補正を行わないようにしている。もちろん本発明はこの制御方法に限るものではなく、ステップＳ２０２、Ｓ２０５は省略してもよい。
【００５６】
一方、露光時間が所定時間以下の場合（ステップＳ２０２でＮＯ）、ステップＳ２０３へ進む。そして、走査パターン設定部１１３ｂはステップＳ２０１で取得した情報から射出瞳距離を決定する。そして、ステップＳ２０４において、決定した射出瞳距離に基づいて採用すべき走査パターンを決定する。メカニカルシャッタ１０５と撮像素子１０４間の距離に対する、撮影レンズ１１４の射出瞳位置とメカニカルシャッタ１０５間の距離の比に応じて、採用すべき走査パターンを決定する。なお、本実施の形態ではメカニカルシャッタ１０５と撮像素子１０４の距離が固定されているため、これらを求めなくても、射出瞳距離に関する情報から走査パターンを決定することができる。
【００５７】
本実施の形態では、予め複数の走査パターンが走査パターン保持部１５０に保持されている。走査パターン設定部１１３ｂは情報収集部１１３ａから取得した情報に基づいて決定した射出瞳距離に基づいて適用すべき走査パターンを走査パターン保持部１５０から選択する。例えば、走査パターン保持部１５０に、露出ムラを許容範囲に抑えるための走査パターンを射出瞳距離に対応付けて登録しておく。そして、走査パターン設定部１１３ｂはステップＳ２０３で決定した射出瞳距離に従って対応する走査パターンを走査パターン保持部１５０から読み出し、適用する走査パターンとして決定する。具体的には、例えば、射出瞳距離が短いほど撮像面下部では露光時間を短く、撮像面上部では露光時間を長く設定した走査パターンが選択される。このように、例えばシャッタ秒時が同じ場合であっても、射出瞳距離が異なれば走査パターン設定部１１３ｂが設定する走査パターンが異なる。
【００５８】
図６に戻って、以上のようにして電子先幕のリセット走査の走査パターンを決定した後、レリーズ釦の第２ストローク、即ち全押し状態（スイッチＳＷ２のＯＮ）が検出されると、ステップＳ１１３からステップＳ１１４へ進み、撮影動作を実行する。まず、ステップＳ１１４において、ミラー１０２をアップ（撮影光路から退避）する。そして、ステップＳ１１５において、ステップＳ１１２で決定された走査パターンによる電子先幕の駆動を開始する。すなわち、垂直駆動変調回路制御部１１３ｃが、走査パターン設定部１１３ｂによって決定された走査パターンに従ってリセット走査を実行するべく、垂直駆動変調回路１０８を制御する。そして、ステップＳ１１６においてメカ後幕を駆動制御して、撮像素子１０４を順次遮光する。
【００５９】
例えば、レンズユニット１０１の撮影レンズ１１４が、焦点距離が短く、射出瞳距離が短いレンズの場合、図５（ｂ）の走査曲線１１'が選択され、この走査パターンに従った電子先幕の駆動（リセット走査）が実行される。また、メカ後幕については走行曲線１２に従った幕走行が実行される。こうして、撮像素子１０４上で電荷蓄積動作が順次行われ、撮影動作が完了する。
【００６０】
最後に、ステップＳ１１７において、ミラー１０２のダウンとメカニカルシャッタ１０５のシャッタチャージを行い、ステップＳ１１８において撮像素子１０４から電荷信号を読み出して処理することにより画像を取得する。以上の処理により一連の撮像シーケンスが終了し、ステップＳ１０１に戻る。
【００６１】
以上のように、第１の実施形態によれば、撮影レンズの撮像素子の受光面位置でのボケ具合を左右する情報に基づいて、電子先幕の走査制御を変えて撮像素子の露光時間を決定する。これにより、撮影レンズの状況に起因したシャッタ走査方向のボケ像の欠けを無くした露光ムラのない適正画像が撮影可能となる。
【００６２】
＜第２の実施形態＞
次に、本発明の第２の実施形態について説明する。
【００６３】
本第２の実施形態の撮像装置は、第１の実施形態で図１に示した撮像装置におけるカメラＣＰＵ１１３が、図９に示すように比較部２１３ａと、判別部２１３ｂと、補正部２１３ｃとを備えている点が異なる。それ以外は、第１の実施形態で説明した撮像装置の構成と同様であるため、本第２の実施形態においても主要構成については図１を参照して説明する。
【００６４】
図９において、比較部２１３ａは、撮像素子１０４から読み出された所定画素に蓄積された電荷量、すなわち輝度レベル差を比較するための輝度分布のヒストグラムを作成する。例えば一般的な縦走りメカニカルシャッタの場合には、撮像素子１０４の所定縦方向に配列された画素における輝度レベルの分布のヒストグラムを作成する。
【００６５】
判別部２１３ｂは、比較部２１３ａで作成されたヒストグラムの分布データに基づき、例えば標準偏差を求め、予め設定された所定基準の標準偏差と比較することによって画像処理補正を行うか否かを判別する。
【００６６】
補正部２１３ｃは、判別部２１３ｂで画像補正処理が必要と判断された場合には、撮像素子１０４から出力される画像信号に対し、作成されたヒストグラムの輝度分布が均一化するように画像処理補正をするために必要なパラメータを求める。
【００６７】
これらの比較部２１３ａ、判別部２１３ｂ、補正部２１３ｃは、カメラＣＰＵ１１３で実行されるプログラムにより構成される手段であり、このプログラムは、使用者が所定の操作を行うことによって読み出されて実行される。補正部２１３ｃによって求められたパラメータはこれ以降、撮像素子１０４から読み出される画像データ全てに対する画像補正のパラメータとして使用され、補正処理された画像データは画像記録回路１１１に記録される。
【００６８】
次に、本発明の第２実施形態における、リセット走査の実行からメカニカルシャッタによる遮光までの時間が短い場合（例えば１／４０００秒等の短時間露光秒時）の動作を、図１０により説明する。
【００６９】
図１０Ａは撮像画面の露光開始位置での撮影光束の状況を示す図、図１０Ｂは撮像画面の露光中央位置での撮影光束の状況を示す図、図１０Ｃは撮像画面の露光終了位置での撮影光束の状況を示す図である。各図において、（ａ）の上側に示す図は焦点より遠い側に撮像素子１０４の撮像面が位置する所謂「前ピン」状態を示し、下側に示す図はそのときの撮影画像のボケの見え方を示す。一方、（ｂ）の上側に示す図は焦点より近い側に撮像素子１０４の撮像面が位置する所謂「後ピン」状態を示し、下側に示す図はそのときの撮影画像のボケの見え方を示す。
【００７０】
図１０Ａ〜図１０Ｃにおいて、５１は撮影レンズ１１４の光束の上側、５２は撮影レンズ１１４の光束の下側、５３は焦点、２は撮像素子１０４の撮像面である。３はメカニカルシャッタのメカ後幕で、５はメカ後幕の先端（スリット形成部）。４は撮像素子１０４のリセットラインで電子先幕の先端に相当する。また、５０は撮像素子１０４の撮像面であり、正面から見た様子を表す。
【００７１】
ここで、撮影レンズ１１４の絞り開口が円形であるものとする。また、露光開始時には、電子先幕のリセットライン４とメカ後幕の先端５で形成されるスリット開口（ここでは１／４０００秒の短秒時）はメカ後幕の先端５によってけられることがない撮影光学系の状態とする。また、図１０（ａ）に示す前ピンのボケ像５５及び後ピンのボケ像５７は、メカ後幕の先端５によってけられることがなく、円形をしているものとする。
【００７２】
撮像素子１０４の中央領域の露光時には、電子先幕のリセットライン４とメカ後幕の先端５で形成されるスリット開口が１／４０００秒の短時間露光秒時のままでは、メカ後幕の先端５によって光束の下側５２がけられてしまう。これにより、円形になるべき後ピンのボケ像５９はその下側がカットされてしまう。従って、本第２の実施形態では、図１０Ｂに示すように、スリット開口幅を広げて（１／４０００秒の露光秒時よりも長くして）ボケ像５９の欠けを防ぐ。同様に、後ピンのボケ像６１では、メカ後幕の先端５によって光束の下側５２がけられて円形になるべきボケ像６１の上側がカットされないように、スリット開口幅を広げて（１／４０００秒の露光秒時よりも長くして）ボケ像６１の欠けを防ぐ。
【００７３】
更に、図１０Ｃに示すように、露光終了間際では、電子先幕のリセットライン４とメカ後幕の先端５で形成されるスリット開口が１／４０００秒の短時間露光秒時のままでは、メカ後幕の先端５によって光束の下側５２がけられてしまう。これにより、円形になるべき後ピンのボケ像６３の下側がカットされてしまうので、スリット開口幅を更に広げて（つまり、図１０Ｂでの露光秒時よりも長くして）ボケ像の欠けを防ぐ。同様に、後ピンのボケ像６５では、円形になるべきボケ像６５の上側がカットされてしまうので、スリット開口幅を更に広げて（図１０Ｂでの露光秒時よりも長くして）ボケ像の欠けを防ぐ。
【００７４】
この撮影動作で得られる画像は、均一輝度面を被写体として撮ると、図１１のように画面の下側の露出が適正で、画面の上側が露出オーバーな露光ムラの生じたものとなる。
【００７５】
図１１のような露光ムラを生じた画像を信号処理回路１０９により、図１２に示す露出が均一で適正な画面に修正処理する。以下にその方法を説明する。
【００７６】
先ず、比較部２１３ａにより作成されるヒストグラムについて、図１３および図１４を参照しながら説明する。図１３（ａ）は基準被写体像を示す図、図１３（ｂ）は図１３（ａ）の基準被写体全体に対する輝度分布を示すヒストグラム図である。図１４（ａ）は図１３（ａ）の基準被写体像を撮像素子１０４で撮像して取り込んだ画像データの一例を示す図、図１４（ｂ）は図１４（ａ）の画像データ全体に対する輝度分布を示すヒストグラムである。ここで、各図のヒストグラムにおいては、横軸が輝度（明るさ）の度合いを表し、左寄りでは暗く、右寄りでは明るい画像となる。また、縦軸は画素数を表す。
【００７７】
図１３（ａ）に示す被写体像は、コントラストがない被写体像である。これを基準被写体として撮影を行った場合、シャッタの露光ムラやジャンプ現象の発生がなければ、撮像素子１０４で受光される輝度の分布を表すヒストグラムを作成すると、図１３（ｂ）に示すように、一定の輝度値に分布が集中する形になる。
【００７８】
これに対し、同じ基準被写体像を撮影し、シャッタの露光ムラが発生した場合は、撮像素子１０４で撮像して取り込まれた撮影画像データは、例えば図１４（ａ）に示すような画面の上側から下側に掛けてコントラストが一定とならない画像データとなる。この画像データに基づき、輝度の分布を表すヒストグラムを作成すると、図１４（ｂ）に示すような、輝度値の分布が分散する形になる。
【００７９】
従って、ユーザは図１３（ａ）に示すような、例えば壁や白紙といったコントラストのない被写体像を適時に取り込むことで、露光ムラやジャンプ現象の補正処理に必要なパラメータを撮像装置内で演算して生成することができる。そして、この生成されたパラメータをメモリ１５４に記憶して、以降の撮影において使用する。
【００８０】
また、一般的に、縦走りフォーカルプレーンシャッタの場合、露光ムラやジャンプ現象については、図１４（ａ）のように縦方向での輝度ムラが発生する。従って、画像データ全体のヒストグラムを作成せずに、縦方向の所定列のみの輝度情報に基づきヒストグラムを作成してもよい。
【００８１】
次に、本第２の実施形態における補正プログラムによる撮像装置の動作について、図１５及び図１６を参照しながら説明する。図１５及び図１６は図１の撮像装置の補正プログラムによる動作を示すフローチャートである。
【００８２】
ここで、補正プログラムは、上述した比較部２１３ａ、判別部２１３ｂ、補正部２１３ｃを構成するものであり、スイッチユニット１１２の対応するスイッチがユーザにより操作されると、カメラＣＰＵ１１３により実行される。
【００８３】
上述したユーザによる所定操作に基づき、通常の撮影シーケンスからサブルーチンにより本補正プログラムが開始されると、図１５に示すように、まずステップＳ３０１において、フラグや制御変数などの初期化を行い、スタンバイ状態とする。そして、ステップＳ３０２において、スイッチユニット１１２内のレリーズ釦が半押しされる（スイッチＳＷ１のＯＮ）のを待つ。スイッチＳＷ１がＯＮされると、ステップＳ３０３で、不図示の測光センサーの出力を用いた測光演算を行い、シャッタ秒時を決定する。
【００８４】
次いで、ステップＳ３０４に進み、レリーズボタンの全押しによるスイッチユニット１１２内の、レリーズ釦が全押しされた（スイッチＳＷ２のＯＮ）か否かを判定し、ＯＮされていなければ、ステップＳ３０２に戻る。スイッチＳＷ２がオンされると、ステップＳ３０５に進み、不図示のミラー駆動部内のミラー緊定マグネットのコイルに通電し、ミラー１０２をアップ動作させる。続いて、ステップＳ３０６で、絞り駆動回路１１７を通じて絞り１１７ａを所定位置まで絞り込む。一方、ステップＳ３０７において、撮像素子１０４の電荷クリア動作を行い、ステップＳ３０８で、撮像素子１０４の電荷蓄積を開始する。
【００８５】
次いで、ステップＳ３０９に進み、決定された走査曲線による電子先幕の駆動を開始する。すなわち、垂直駆動変調回路制御部１１３ｃが、走査パターン設定部１１３ｂによって上述したように決定された走査パターンに従ってリセット走査を実行するべく、垂直駆動変調回路１０８を制御する。続いて、ステップＳ３１０で、撮像素子での露光を行い、そして、ステップＳ３１１で、メカ後幕を閉じる。これにより、撮像素子１０４への撮影光が遮光される。
【００８６】
次いで、図１６に示すステップＳ３１２において、絞り１１７ａを開放へ復帰し、続くステップＳ３１３で、ミラーダウンを行う。そして、ステップＳ３１４で、撮像素子１０４の電荷蓄積を終了する。次いで、ステップＳ３１５で、撮像素子１０４から電荷信号を読み出し、信号処理回路１０９を介して、カメラＣＰＵ１１３に入力する。そして、ステップＳ３１６において、読み出された所定画素毎の輝度情報から、輝度レベルの分布のヒストグラムを作成する。
【００８７】
次いで、ステップＳ３１７において、上記作成されたヒストグラムに基づき、露光ムラやジャンプ現象などに対応するための補正が必要であるか否かを判定する。ここで、輝度分布が所定の輝度範囲を超えている場合、露光ムラなどが有り、補正が必要であると判定される。この場合には、ステップＳ３１８で、撮影画像信号に対して画像処理による補正を行うための補正量のパラメータを算出し、続くステップＳ３１９で、算出されたパラメータをメモリ１５４に記憶し、本処理を抜ける。ここで、算出されるパラメータは、ヒストグラムの輝度分布が均一化するように画像処理補正をするために必要なパラメータである。
【００８８】
これに対し、輝度分布が所定範囲以内の場合には、露光ムラなどはなく、露光ムラやジャンプ現象などに対応するための補正は必要ないと判定される。この場合、上記ステップＳ３１８およびステップＳ３１９をスキップして本処理を抜ける。
【００８９】
上記の通り第２の実施形態によれば、画面露光終了側を露光開始側よりも露出オーバーになるよう（電子先幕のリセットライン４とメカ後幕の先端５で形成されるスリット開口を開き気味にして）電子先幕を制御し、ボケ像が欠けるのを防止する。そして、後で画像処理して露光ムラを修正するものである。
【００９０】
それにより、画面露光開始側でできるだけ高速なシャッタ秒時で撮影ができる。
【図面の簡単な説明】
【００９１】
【図１】本発明の実施の形態における撮像装置の構成を示すブロック図である。
【図２】本発明の実施の形態における撮像素子及びシャッタを被写体側から見た正面図である。
【図３】本発明の実施の形態にかかる光学ユニットとシャッタの位置関係に伴う電荷蓄積領域の変化を説明する図である。
【図４】本発明の実施の形態にかかる光学ユニットとシャッタの位置関係に伴う電荷蓄積領域の変化を説明する図である。
【図５】本発明の実施の形態にかかるシャッタの動作と電荷蓄積時間との関係を示す概念図である。
【図６】本発明の第１の実施形態における撮像処理のフローチャートである。
【図７】本発明の第１の実施形態における電子先幕（リセット走査）の走査パターン制御に関する機能構成を示すブロック図である。
【図８】本発明の第１の実施形態における走査パターンの設定処理を表すフローチャートである。
【図９】本発明の第２の実施形態におけるカメラＣＰＵ１１３の構成を示すブロック図である。
【図１０Ａ】本発明の第２の実施形態における撮像画面の露光開始位置での撮影光束の状況を示す図である。
【図１０Ｂ】本発明の第２の実施形態における撮像画面の露光中央位置での撮影光束の状況を示す図である。
【図１０Ｃ】本発明の第２の実施形態における撮像画面の露光終了位置での撮影光束の状況を示す図である。
【図１１】本発明の第２の実施形態における露光ムラを生じた画像の一例を示す図である。
【図１２】本発明の第２の実施形態における露出修正処理後の画像の一例を示す図である。
【図１３】（ａ）は基準被写体像を示す図、（ｂ）は図１３（ａ）の基準被写体全体に対する輝度分布を示すヒストグラムである。
【図１４】（ａ）は本発明の第２の実施形態における電子先幕の制御を行って得られた基準被写体像の一例を示す図、（ｂ）は図１４（ａ）の基準被写体全体に対する輝度分布を示すヒストグラムである。
【図１５】本発明の第２の実施形態におけるカメラの補正プログラムによる動作を示すフローチャートである。
【図１６】本発明の第２の実施形態におけるカメラの補正プログラムによる動作を示すフローチャートである。
【図１７Ａ】従来の撮像画面の露光開始位置での撮影光束の状況を示す図である。
【図１７Ｂ】従来の撮像画面の露光中央位置での撮影光束の状況を示す図である。
【図１７Ｃ】従来の撮像画面の露光終了位置での撮影光束の状況を示す図である。
【符号の説明】
【００９２】
１００  カメラ本体
１０１  レンズユニット
１０２  ミラー
１０３  ファインダ光学系
１０４  撮像素子
１０５  フォーカルプレンシャッタ
１０６  シャッタ駆動回路
１０７  パルス発生回路
１０８  垂直駆動変調回路
１０９  信号処理回路
１１０  画像表示回路
１１１  画像記録回路
１１２  スイッチユニット
１１３  カメラＣＰＵ
１１３ａ  情報収集部
１１３ｂ  走査パターン設定部
１１３ｃ  垂直駆動変調回路制御部
１１４  撮影レンズ
１１５  レンズＣＰＵ
１１６  レンズ駆動回路
１１７  絞り駆動回路
１１７ａ  絞り
１１８  ズーム駆動機構
１１９  ズーム位置検出回路
１２０、１２１  通信接点
１５０  走査パターン保持部
１５１  表示装置
２１３ａ  比較部
２１３ｂ  判別部
２１３ｃ  補正部
【図１】
2010041510.tif 000003
【図２】
2010041510.tif 000004
【図３】
2010041510.tif 000005
【図４】
2010041510.tif 000006
【図５】
2010041510.tif 000007
【図６】
2010041510.tif 000008
【図７】
2010041510.tif 000009
【図８】
2010041510.tif 000010
【図９】
2010041510.tif 000011
【図１０Ａ】
2010041510.tif 000012
【図１０Ｂ】
2010041510.tif 000013
【図１０Ｃ】
2010041510.tif 000014
【図１５】
2010041510.tif 000015
【図１６】
2010041510.tif 000016
【図１７Ａ】
2010041510.tif 000017
【図１７Ｂ】
2010041510.tif 000018
【図１７Ｃ】
2010041510.tif 000019
【図１１】
2010041510.tif 000020
【図１２】
2010041510.tif 000021
【図１３】
2010041510.tif 000022
【図１４】
2010041510.tif 000023